(57)【要約】【課題】電源をオフした後の陰極線管のスポット残りを速やかに解消することができる陰極線管表示装置を提供することである。【解決手段】陰極線管１５のスポット残りを解消するためのスポット残り防止回路５にＮＰＮ型トランジスタ１４を設ける。スポット残り防止回路５をトランジスタ１４のエミッタ端子１４ｅを介して接地に接続する。電源キー１１により電源をオフする操作がされると、トランジスタ１４に制御用マイコン１よりオン信号を出力してトランジスタ１４を導通状態としてスポット残り防止回路５を接地する。これにより、陰極線管１５のカソードｋ１、ｋ２、ｋ３を接地する。【選択図】  図１
2004186998.tif 000002
【特許請求の範囲】
【請求項１】
陰極線管と、電源をオン、オフする操作に応じて前記陰極線管の動作の開始及び停止を制御する制御用マイコンと、前記陰極線管のカソードに接続され該陰極線管に映像信号を出力する映像信号増幅回路と、前記陰極線管のスポット残りを防止するためのスポット残り防止回路とを備える陰極線管表示装置であって、
前記スポット残り防止回路は、一方の端部が前記陰極線管のカソードに接続されるとともに他方の端部が接地に接続されており、該他方の端部はＮＰＮ型トランジスタにより構成される接地制御トランジスタのエミッタ端子が接地に接続され、前記接地制御トランジスタは前記制御用マイコンよりオン信号がベース端子に入力されるようにされており、
当該陰極線管表示装置の電源をオフする操作がされると、前記接地制御トランジスタは前記制御用マイコンよりオン信号が入力されることによって導通状態とされ、前記陰極線管のカソードが前記スポット残り防止回路によって接地されるように構成される陰極線管表示装置。
【請求項２】
前記映像信号増幅回路は、映像信号を出力するトランジスタによって前記陰極線管のカソードに接続されており、
前記スポット残り防止回路には、前記陰極線管のカソードと接地制御トランジスタとの間に、該陰極線管のカソードから接地制御トランジスタへの方向を順方向とするダイオードが接続されることを特徴とする請求項１に記載の陰極線管表示装置。
【発明の詳細な説明】
【０００１】
【発明の属する技術分野】
本発明は、陰極線管を備える陰極線管表示装置に関する。
【０００２】
【従来の技術】
陰極線管を備える陰極線管表示装置は、陰極線管に映像を表示するように動作する。即ち、陰極線管表示装置は、陰極線管に高電圧を印加して電子ビームを加速するとともに、映像信号に基づいて電子ビームを走査することにより、電子ビームを移動させつつ陰極線管の画面に衝突させて発光させることにより映像を表示する。
【０００３】
そして、陰極線管表示装置では、電源をオフして動作を停止させようとすると、いわゆるスポット残りと呼ばれる稲妻状又は円形状の発光が画面に現れることがある。即ち、電源オフした後に、陰極線管内に残存する電荷によって形成される電位によって電子ビームが加速され画面の発光を生ずることがある。
【０００４】
この電源オフした後の画面の発光は、見た目に悪く視聴者に不快な印象を与える。従って、陰極線管表示装置には、前記電源オフした後のスポット残りを解消するべく前記残存する電荷を除去するための回路が設けられる。
【０００５】
このスポット残りを防止する回路の従来の技術として、例えば特開２０００−１２５１４７号公報に開示される技術がある。
【０００６】
【発明が解決しようとする課題】
従来のスポット残りを防止するための回路及びこの回路を動作させるブロックは複雑に構成されていた。そのため、陰極線管表示装置の電源をオフする操作がされた場合に、スポット残りを防止する回路を必ずしも速やかに動作させることができなかった。そのため、スポット残りをより速やかに解消することができなかった。
【０００７】
そこで、本発明は、スポット残りを防止する回路をより速やかに動作させ、スポット残りをより速やかに解消することができる陰極線管表示装置を提供することを目的とする。
【０００８】
【課題を解決するための手段】
上記課題を解決するため、本発明は、陰極線管と、電源をオン、オフする操作に応じて前記陰極線管の動作の開始及び停止を制御する制御用マイコンと、前記陰極線管のカソードに接続され該陰極線管に映像信号を出力する映像信号増幅回路と、前記陰極線管のスポット残りを防止するためのスポット残り防止回路とを備える陰極線管表示装置であって、
前記スポット残り防止回路は、一方の端部が前記陰極線管のカソードに接続されるとともに他方の端部が接地に接続されており、該他方の端部はＮＰＮ型トランジスタにより構成される接地制御トランジスタのエミッタ端子が接地に接続され、前記接地制御トランジスタは前記制御用マイコンよりオン信号がベース端子に入力されるようにされており、
当該陰極線管表示装置の電源をオフする操作がされると、前記接地制御トランジスタは前記制御用マイコンよりオン信号が入力されることによって導通状態とされ、前記陰極線管のカソードが前記スポット残り防止回路によって接地されるように構成される陰極線管表示装置である（請求項１）。
【０００９】
本発明の陰極線管表示装置によると、前記接地制御トランジスタを前記制御用マイコンが直接に制御するので、前記電源をオフする操作がされると、速やかにスポット残り防止回路を動作させ接地することができる。これにより、前記電源をオフする操作がされると、陰極線管に残存する電位を速やかに解消することができ、スポット残りを速やかに解消することができる。
【００１０】
また、前記陰極線管表示装置において、前記映像信号増幅回路が映像信号を出力するトランジスタによって前記陰極線管のカソードに接続されており、
前記スポット残り防止回路に、前記陰極線管のカソードと接地制御トランジスタとの間に、該陰極線管のカソードから接地制御トランジスタへの方向を順方向とするダイオードを接続することができる（請求項２）。
【００１１】
この発明によると、前記接地制御トランジスタが導通状態とされスポット残り防止回路が接地されると、前記ダイオードにより前記映像信号増幅回路のトランジスタの電位を接地に導くことができる。
【００１２】
これにより、前記電源をオフする操作がされると、前記映像信号増幅回路のトランジスタが接続される陰極線管のカソードから残存する電位をより速やかに解消することができ、スポット残りをより速やかに解消することができる。
【００１３】
【発明の実施の形態】
本発明の実施の形態について、図１に基づいて説明する。図１は、本発明の一実施形態である陰極線管表示装置の一部の構成を示すブロック図である。図１によって示される陰極線管表示装置は、操作キー１１と、操作判別手段１２と、制御用マイクロコンピュータ（以下、「制御用マイコン」という）１と、映像信号増幅回路３と、陰極線管（ＣＲＴ）１５と、スポット残り防止回路５を備えている。
【００１４】
操作キー１１には、陰極線管表示装置を動作させる電源をオン（ＯＮ）、オフ（ＯＦＦ）する電源キー１１ａが設けられている。この陰極線管表示装置を使用するユーザが操作キー１１を操作すると、その操作の内容は操作判別手段１２により判別される。また、電源キー１１ａにより電源をオン又はオフさせる操作がされると、操作判別手段１２が電源オンされたか又はオフされたかを判別する。
【００１５】
操作部１１に対する操作の内容を操作判別手段１２が判別すると、操作の内容を表す操作信号が操作判別手段１２より制御用マイコン１に入力される。これにより、制御用マイコン１が操作部１１に対する操作の内容を判別する。そして、制御用マイコン１は、電源キー１１ａが操作されると、電源をオンする操作又は電源をオフする操作がされたことを検出する。
【００１６】
上記操作キー１１は、陰極線管表示装置の本体に設けられるものであってもよく、本体外のリモコンに設けられるものであってもよい。なお、操作キー１１がリモコンに設けられるものである場合は、操作判別手段１２はリモコンより送信される送信波を受信して操作の内容を判別できるようにされる。
【００１７】
制御用マイコン１は、陰極線管表示装置の動作の制御を行う。そして、制御用マイコン１は、電源キー１１ａにより電源をオフする操作がされたことを検出すると、後に説明する接地制御用トランジスタ１４にオン信号を出力する。
【００１８】
映像信号増幅回路３は、赤（Ｒ）、青（Ｂ）、緑（Ｇ）を要素とする色信号からなる映像信号を増幅する公知の回路である。映像信号増幅回路３は、図示しない映像信号処理回路より入力された色信号を増幅して陰極線管１５に出力する。
【００１９】
なお、前記映像信号処理回路は、クロマＩＣ等を備えて構成され、映像信号を処理する公知の回路である。そして、映像信号処理回路は、公知である信号処理を実行することにより、映像信号の要素であるＲ、Ｇ、Ｂの色信号を生成する。
【００２０】
映像信号増幅回路３には、入力された色信号を増幅して出力するトランジスタ１９、２０、２１が設けられている。トランジスタ１９、２０、２１は、ＮＰＮトランジスタが用いられる。トランジスタ１９、２０、２１は、ベース端子１９ｂ、２０ｂ、２１ｂの各々に色信号が入力される。
【００２１】
トランジスタ１９、２０、２１は、エミッタ端子１９ｅ、２０ｅ、２１ｅの各々にカットオフ電圧が印加される。このカットオフ電圧により、コレクタ端子１９ｃ、２０ｃ、２１ｃより出力される電位が調整される。トランジスタ１９、２０、２１のエミッタ端子に印加されるカットオフ電圧は、各々のエミッタ端子に接続される抵抗やコンデンサによって調整される。
【００２２】
トランジスタ１９、２０、２１は、コレクタ端子１９ｃ、２０ｃ、２１ｃが陰極線管１５のカソードに接続されている。陰極線管１５には、前記三つの色信号に対応させた三つのカソードｋ１、ｋ２、ｋ３が設けられている。
【００２３】
トランジスタ１９のコレクタ端子１９ｃがカソードｋ１に接続され、トランジスタ２０のコレクタ端子２０ｃがカソードｋ２に接続され、トランジスタ２１のコレクタ端子２１ｃがカソードｋ３に接続されている。
【００２４】
そして、ベース端子１９ｂ、２０ｂ、２１ｂよりトランジスタ１９、２０、２１に入力された映像信号（色信号）が各々に増幅され、コレクタ端子１９ｃ、２０ｃ、２１ｃより陰極線管のカソードｋ１、ｋ２、ｋ３に各々に出力される。
【００２５】
陰極線管１５は、前記トランジスタ１９、２０、２１より入力された映像信号（色信号）に基づいて映像を表示する。陰極線管１５は、カソードｋ１、ｋ２、ｋ３の各々が動作電源９に接続されており、動作電源９より陰極線管１５を動作させる直流電圧Ｖｋを供給される。
【００２６】
また、図１に示される陰極線管表示装置には、スポット残り防止回路５が設けられている。このスポット残り防止回路５は、電源をオフした後に陰極線管１５にスポット残りが発生することを防止するための回路である。
【００２７】
スポット残り防止回路５は、一方の端部は陰極線管１５のカソードの各々に接続されており、他方の端部は接地されている。スポット残り防止回路５には、ダイオード１６、１７、１８及び接地制御トランジスタ１４が設けられている。
【００２８】
ダイオード１６、１７、１８は、陰極線管１５のカソードと各々に接続されている。ダイオード１６は、そのアノードが陰極線管のカソードｋ１及びトランジスタ１９のコレクタ端子１９ｃに接続されている。
【００２９】
ダイオード１７は、アノードが陰極線管１５のカソードｋ２及びトランジスタ２０のコレクタ端子２０ｃに接続されている。ダイオード１８は、アノードが陰極線管１５のカソードｋ３及びトランジスタ２１のコレクタ端子２１ｃに接続されている。
【００３０】
また、ダイオード１６、１７、１８は、これらのカソード同士が一つの接続点８で接続されている。
【００３１】
接地制御トランジスタ１４は、このスポット残り防止回路５を接地する制御を行う。接地制御トランジスタ１４は、ＮＰＮ型トランジスタにより構成されている。接地制御トランジスタ１４のコレクタ端子１４ｃは、前記接続点８に接続されており、ダイオード１６、１７、１８の各々のカソードに接続される。
【００３２】
接地制御トランジスタ１４のエミッタ端子１４ｅは接地に接続されている。即ち、スポット残り防止回路５の他方の端部は接地制御トランジスタ１４のエミッタ端子１４ｅにより接地に接続されている。
【００３３】
接地制御トランジスタ１４のベース端子１４ｂは、制御用マイコン１よりオン信号が入力される。接地制御トランジスタ１４のベース端子１４ｂにオン信号が入力されると、トランジスタ１４が導通状態となり、コレクタ端子１４ｃとエミッタ端子１４ｅ間が導通状態となる。これにより、スポット残り防止回路５が接地される。
【００３４】
次に、以上に説明した陰極線管表示装置を動作させる例について説明する。操作キー１１の電源キー１１ａを操作し、陰極線管表示装置の電源をオンして動作を開始させる。これにより、映像信号増幅回路３、動作電源９、スポット残り防止回路５が動作する状態となり、また制御用マイコン１が動作を開始する。
【００３５】
これにより、映像信号増幅回路３に映像信号が入力されると、入力された映像信号が増幅され陰極線管１５に出力される。陰極線管１５は、入力された映像信号に基づく映像を画面に表示する。
【００３６】
ここで、電源キー１１ａを操作し電源をオフすると、動作電源９より陰極線管１５への動作電圧の出力が停止する。そして、制御用マイコン１は接地制御トランジスタ１４を導通状態とするためのオン信号を出力する。
【００３７】
制御用マイコン１より出力されたオン信号は、接地制御トランジスタ１４のベース端子１４ｂに入力される。これにより、接地制御トランジスタ１４が導通状態となり、スポット残り防止回路５は接地される。
【００３８】
これにより、陰極線管１５のカソードｋ１、ｋ２、ｋ３が接地される。これにより、陰極線管１５に残存していた電荷を除去し、電位を解消することができる。これにより、電源をオフした後のスポット残りを解消することができる。
【００３９】
以上に説明した陰極線管表示装置によると、陰極線管１５のスポット残りを防止するためのスポット残り防止回路５が簡易に構成されている。そして、スポット残り防止回路５を制御用マイコン１により直接に制御することができる。即ち、制御用マイコン１より接地制御トランジスタ１４にオン信号を出力することによりスポット残り防止回路５を動作させ接地することができる。
【００４０】
これにより、操作キー１１ａを操作することにより電源オフする操作がされると、速やかにスポット残り防止回路５を動作させ、陰極線管１５を速やかに接地することができる。これにより、陰極線管１５に残存する電位を速やかに解消し、スポット残りを速やかに解消することができる。
【００４１】
また、スポット残り防止回路５を制御用マイコン１によって制御し速やかに動作させることができるので、電源オフした後に残存する電荷を放電させる場所を以下のように制御することもできる。
【００４２】
即ち、制御用マイコン１が接地制御トランジスタ１４にオン信号を出力するタイミングを、陰極線管１５を動作させる基準となる垂直同期信号のタイミングと対応させるようにする。
【００４３】
これにより、垂直同期信号のタイミングから遅れることなく接地制御トランジスタ１４を導通させ、陰極線管１５を接地することができる。これにより、垂直同期信号のタイミングに対応させて陰極線管１５に残存する電荷を放電させることにより、残存する電荷を陰極線管１５の上下の端部で放電させることもできる。これにより、陰極線管１５の視聴者から判りにくい上下の端部で残存する電荷を放電させ、視聴者に発光が判らないようにすることができる。
【００４４】
また、以上に説明したスポット残り防止回路５には、ダイオード１６、１７、１８が設けられている。これにより、トランジスタ１４が導通状態とされると、トランジスタ１９、２０、２１のコレクタ端子の電位をより速やかに接地に導くことができる。これにより、陰極線管１５のスポット残りをより速やかに解消することができる。
【００４５】
【発明の効果】
以上説明したように、本発明の陰極線管表示装置によると、陰極線管のスポット残りを解消するためのスポット残り防止回路を制御用マイコンによって直接に制御することができる。
【００４６】
これにより、電源をオフする操作がされると、スポット残り防止回路を速やかに動作させ、陰極線管に残存する電位を速やかに解消し、陰極線管のスポット残りを速やかに解消することができる。
【図面の簡単な説明】
【図１】本発明の一実施形態の陰極線管表示装置のブロック図である。
【符号の説明】
１    制御用マイコン
３    映像信号増幅回路
５    スポット残り防止回路
８    接続点
９    陰極線管の動作電源
１２    操作判別手段
１４    接地制御トランジスタ
１４ｂ  ベース端子
１４ｃ  コレクタ端子
１４ｅ  エミッタ端子
１５    陰極線管（ＣＲＴ）
１６、１７、１８    ダイオード
１９、２０、２１    トランジスタ
１９ｂ、２０ｂ、２１ｂ    ベース端子
１９ｃ、２０ｃ、２１ｃ    コレクタ端子
１９ｅ、２０ｅ、２１ｅ    エミッタ端子
【図１】
2004186998.tif 000003